(57)【要約】【課題】      釣り用収納具が他物に当たったりすると割れ易く、曲げたままで放置すると癖が付きやすく、一度歪むと元に戻りにくいことである。【解決手段】  釣り用収納具１は、ケース本体２と蓋体２を有し、蓋体２は、上面側部材３とこれより硬い下面側部材４を重ね合わせて形成されており、上面側部材３の窓３ａに下面側部材４に形成した凸部４ａ窓３ａに嵌合している。ケース本体２の正面５ａには、窓６ａが形成され、その窓６ａに内側面に重ねたこれより硬い内面側部材の合成樹脂材７の凸部７ａが嵌合している。【選択図】        図２
2006204181.tif 000002
【特許請求の範囲】
【請求項１】
硬さの異なる合成樹脂材を重ねた構成部材を有し、前記硬さの異なる合成樹脂材の何れか一方の合成樹脂材に窓を形成し、他方の合成樹脂材に凸部を形成し、前記一方の合成樹脂材の窓に他方の合成樹脂材の凸部を嵌合したことを特徴とする釣り用収納具
【請求項２】
窓を形成した一方の合成樹脂材より凸部を形成した他方の合成樹脂材の方が硬い材料で構成されていることを特徴とする請求項１記載の釣り用収納具。
【請求項３】
凸部は中央側に凹部が形成されていることを特徴とする請求項１または２記載の釣り用収納具。
【発明の詳細な説明】
【技術分野】
【０００１】
本発明は、釣りに用いられる収納具、例えば、釣竿、リール、仕掛けなどの釣り具や魚、餌などを収納するための釣り用収納具に関する。
【背景技術】
【０００２】
従来の釣り用収納具は、特許文献１のように硬質の合成樹脂で成型されていたり、特許文献２のように合成樹脂の板体の外側に柔軟性を有するシートを接着して構成されている。
【特許文献１】実用新案登録第３００８４２８号公報
【特許文献２】特開平６−１５６５４３号公報
【発明の開示】
【発明が解決しようとする課題】
【０００３】
ところが、上記特許文献１のように硬質の合成樹脂で成型されている釣り用収納具は、釣り場で岩などの他物に当たったりすると割れ易いという問題がある。
また、特許文献２の釣り用収納具は曲げたままで放置するなど外力が作用すると癖が付きやすく、一度歪むと元に戻りにくいという問題がある。
【０００４】
解決しようとする課題は、釣り用収納具が釣り場で岩などの他物に当たったりすると割れ易く、曲げたままで放置するなど外力が作用すると癖が付きやすく、一度歪むと元に戻りにくいことである。
【０００５】
本発明の目的は前記欠点に鑑み、岩などの他物に当たっても割れにくく、曲げ等の外力が作用しても癖が付きにくい釣り用収納具を提供することである。
【課題を解決するための手段】
【０００６】
上記課題を解決するために、
請求項１に係わる本発明は、硬さの異なる合成樹脂材を重ねた構成部材を有し、前記硬さの異なる合成樹脂材の何れか一方の合成樹脂材に窓を形成し、他方の合成樹脂材に凸部を形成し、前記一方の合成樹脂材の窓に他方の合成樹脂材の凸部を嵌合したことを要旨とするものである。
請求項２に係わる本発明は、窓を形成した一方の合成樹脂材より凸部を形成した他方の合成樹脂材の方が硬い材料で構成されていることを要旨とするものである。
請求項３に係わる本発明は、凸部は中央に凹部が形成されていることを要旨とするものである。
【発明の効果】
【０００７】
本発明により、他物に当たっても割れにくく、曲げ等の外力が作用しても癖が付きにくい釣り用収納具が得られる。
【発明を実施するための最良の形態】
【０００８】
以下、本発明の実施形態を図面に基づき説明すると、図１、図２は本発明の実施例で、図１は釣り用収納具の斜視図、図２は釣り用収納具の断面図、である。
【０００９】
図１、図２によると、釣り用収納具１は、内部に釣具等を収納する収納部Ｆを有するケース本体２とその上部の開口部５ｅを開閉自在に閉塞する蓋体２を有している。
蓋体２は図示しないヒンジ部材によって背面５ｃ側に開くようになっており、その周縁がケース本体２の開口部５ｅとファスナ（スライドファスナ）９によって閉じることが出来るようになっている。
釣り用収納具１は、携帯しやすいように、ケース本体２の正面と背面に止着部８ａを介してＵ字状のハンドル８が取り付けられている。
【００１０】
蓋体２は、その周縁部に下方へ垂下するように形成されたスカート部２ａが蓋体２に一体的に形成され、蓋体２でケース本体２の上部の開口部５ｅを閉塞したときにスカート部２ａがケース本体２の開口部５ｅの外側を覆って開口部５ｅから収納部Fへの水の侵入を防止している。
【００１１】
また、蓋体２の上面の中央側に土手状の凸部４ａが突出し、この凸部４ａで囲まれた内側に凹部４ｂが形成されており、凹部４ｂは釣りをするときの仕掛けや小道具を入れておくことが出来るようになっている。
蓋体２は、上面側部材３と下面側部材４を重ね合わせて形成されており、上面側部材３の中央側に窓３ａが穿設され、その窓３ａに下面側部材４に一体的に形成した凸部４ａが上面側部材３の下側から差し込まれて、凸部４ａが窓３ａに嵌合し、窓３ａを貫通して蓋体２の上面側部材３の上方へ突出している。
【００１２】
上面側部材３と下面側部材４は、重ね合わせて加熱し、金型で押圧して変形し、周縁部を湾曲させてスカート部２ａを形成しており、両部材は互いに合致するように湾曲を有して添設され互いに分離して脱落することが防止されているが、その周縁に沿って縫着部Ｈによって止着され、更に窓３ａの周辺にて両者が止着部Ｓにて接着しているため、両者の大きな位置ずれが防止されている。
さらに、凸部４ａが窓３ａに嵌合していることから両者の大きな位置ずれは確実に防止されることとなる。
【００１３】
蓋体２は、上面側部材３と下面側部材４が積層されて形成されており、上面側部材３と下面側部材４は、互いの硬さが異なる（材料の硬度が異なる）合成樹脂材が用いられ、下面側部材４は上面側部材３より硬い部材が用いられている。
上面側部材３は発泡合成樹脂Ｐの上下に合成樹脂の織布や合成樹脂コーティング等の被服層Ｑが配された柔軟性を有する合成樹脂シート（または板材）を用いており下面側部材４よりも大きな厚味を有し、下面側部材４は、上面側部材３より薄い可撓性を有する合成樹脂シート（または板材）が用いられる。
【００１４】
蓋体２は、互いの硬さが異なる合成樹脂シートを重ね合わせて（下面側部材４は上面側部材３より硬い部材）、加熱し、金型で押圧して変形して両者は接着することなく添設し、互いに多少の遊びを持った状態（互いにずれることが出来るような状態）で密着するようになる。
このため外部から力が作用しても、両者の間の境界部分で衝撃が緩和され、割れや破損等が効果的に抑制されるようになる。
また、上記したような遊びを有することで合成樹脂シート部分に変形などが生じても両者が接着されているものと比較して、元の状態に復帰しやすくなり、癖や歪みが抑制されるようになる。
【００１５】
これら下面側部材４、上面側部材３の材料はＡＢＳ樹脂、ポリプロピレン、ポリエチレン、ナイロン、ポリ塩化ビニル、エチレン酢酸ビニル等を用いることが可能である。
この場合、各合成樹脂シートの厚さや異なる硬度の組み合わせについては特に限定されることはないが、両者を重ね合わせて押圧して変形させた場合、両者が接着することなく、互いの境界部分（界面部分）画面方向に沿ってずれが生じるようなものが好ましい。
また、各合成樹脂部材はそれ自身単独で用いても良いし、表面に織布等を被着したり、合成樹脂コーティングを施す等、表面加工を施しても良い。また、合成樹脂に発泡性を与えても良い。
【００１６】
また、下面側部材４、上面側部材３の全面を接着しても、互いの硬さが異なる合成樹脂部材を重ね合わせているため、外部から力が作用しても、柔らかい部材によって割れや破損等が効果的に抑制され、硬い部材によって元の状態に復帰しやすくなり、癖や歪みが抑制される効果は発揮される。
この場合は、接着によって両者の位置ずれは防止されるが、このような場合でも、両者が剥離した場合や両者の剥離自体を防止するため、上面側部材３の凸部４ａが下面側部材４窓３ａに嵌合していることで両者の大きな位置ずれは更に確実に防止されることとなる。
【００１７】
本件実施例では、蓋体２を下面側部材４、上面側部材３を重ね合わせることで表面側に柔らかい（硬度が低い）合成樹脂シートを配置し、裏面側に硬い（硬度が高い）合成樹脂シートを配置しており、とくに、他物が外側から当たった場合は上面側部材３によって衝撃が緩和され下面側部材４の割れを防止し、下面側部材４は下側から上面側部材３の形状を保持している。
【００１８】
しかも、下面側部材４の凸部４ａが上面側部材３の窓３ａに嵌合し、窓３ａを貫通して蓋体２の上面側部材３の上方へ突出しているため、外力が加わった場合の両者の大きな位置ずれが防止されて蓋体２が強化される。
【００１９】
また、蓋体２を下面側部材４、上面側部材３を重ね合わせることで表面側に柔らかい（硬度が低い）合成樹脂シートを配置し、裏面側に硬い（硬度が高い）合成樹脂シートを配置したが上面側部材３を下面側部材４より硬い部材で構成しても同様の作用効果が期待でき、この場合でも上面側部材３と下面側部材４の凸部と窓が嵌合することで両者の大きな位置ずれが防止できる。
【００２０】
さらに、釣り用収納具１のケース本体２は、内部に収納部Ｆを有し、上方に矩形の開口部５ｅを有する箱型に形成され、開口部５ｅは、フレーム９で外側に折り返さ、折り返し部は、開口部５ｅの外側に止着されている。
開口部５ｂの外側に折り返された部分にファスナ１０が縫着されている。
【００２１】
ケース本体２の正面５ａには、正面５ａを形成する合成樹脂シート（外面側部材）６の中央側に窓６ａが穿設され、その窓６ａから外面側部材の合成樹脂シート６の内側面に重ねた内面側部材の合成樹脂材７に一体的に形成した土手状の凸部７ａが嵌合して外側に突出し、この凸部７ａで囲まれた内側に凹部７ｂが形成されており、凹部４ｂの中にエンブレム等のシールやパネルが貼着されている。
【００２２】
正面５ａを形成する合成樹脂シート（外面側部材）６は、蓋体２と同様に発泡合成樹脂Ｐの上下に合成樹脂の織布や合成樹脂コーティング等の被服層Ｑが配された柔軟性を有する合成樹脂シート（または板材）が用いられ、内面側部材の合成樹脂材７も蓋体２と同様に外面側部材の合成樹脂シート６より薄い可撓性を有する合成樹脂シート（または板材）が用いられ、内面側部材の合成樹脂材７は、外面側部材の合成樹脂シート６より硬度が大きい部材が用いられる。
【００２３】
内面側部材の合成樹脂材７はケース本体２の正面５ａに部分的に積層して設けており、積層された部分は縫着部Ｈによって外面側部材の合成樹脂シート６に止着されている。
これによって正面５ａが補強されると共に、凹部４ｂの中に設けたエンブレム等のシールやパネルが破損しないように設けることが出来る。
これらエンブレム等のシールやパネル等は凹部４ｂ内に内面側部材の合成樹脂材７と一体的に形成してもよい。
【００２４】
ケース本体２の正面５ａがこのように外面側部材の合成樹脂シート６に穿設した窓６ａに外面側部材の合成樹脂シート６の内側面に重ねた内面側部材の合成樹脂材７の凸部７ａを嵌合することによって外面側部材の合成樹脂シート６と内面側部材の合成樹脂材７のずれが防止されることとなる。
【００２５】
以上、本発明の実施形態について説明したが、以上の実施形態に限定されることなく、種々変形することが可能である。
【産業上の利用可能性】
【００２６】
本発明は、釣り用収納具全般に利用できる。
【図面の簡単な説明】
【００２７】
【図１】釣り用収納具の斜視図である。
【図２】釣り用収納具の断面図である。
【符号の説明】
【００２８】
１  釣り用収納具
２  蓋体
３上面側部材
４下面側部材
３ａ、６ａ  窓
４ａ、７ａ  凸部
５  ケース本体
６  外面側部材の合成樹脂シート
７  内面側部材の合成樹脂材
【図１】
2006204181.tif 000003
【図２】
2006204181.tif 000004